(57)【要約】【課題】除加湿装置の厚みを抑える。【解決手段】１台のシロッコファン５０は、１つの空気流路ＡＤをケーシング１０内に生成する。１つの空気流路ＡＤは、各吸込口１１ａ，１２ａ，１３ａからケーシング１０内に流入して吹出口１５ａからケーシング１０外に流出する空気の流路である。冷凍サイクルユニット６０は、蒸発器６４及び凝縮器６２を含む。蒸発器６４及び凝縮器６２は、除湿運転時、ケーシング１０内に流入した１つの空気流路ＡＤ上の空気を露点以下に冷却して除湿する。加湿ロータ７１は、加湿運転時、水を一時的に保持すると共に、１つの空気流路ＡＤ上の空気に該水を付与する。蒸発器６４、凝縮器６２及び加湿ロータ７１は、１つの空気流路ＡＤ内に配置されている。蒸発器６４及び凝縮器６２は、１つの空気流路ＡＤにおける空気流ＡＦの流れ方向に対して並列に配置されている。【選択図】図６
2014231924.tif 000002
【特許請求の範囲】
【請求項１】
空気の吸込口（１１ａ，１２ａ，１３ａ）及び吹出口（１５ａ）を有するケーシング（１０）と、
前記吸込口から前記ケーシング内に流入して前記吹出口から前記ケーシング外に流出する１つの空気流路（ＡＤ）、を前記ケーシング内に生成する１台のファン（５０）と、
除湿運転時、前記ケーシング内に流入した前記１つの空気流路（ＡＤ）上の空気を露点以下に冷却して除湿する蒸発器（６４）及び放熱器（６２）、を含む冷凍サイクル装置（６０）と、
加湿運転時、水を一時的に保持すると共に、前記１つの空気流路上の空気に該水を付与する加湿部材（７１）と、
を備え、
前記蒸発器、前記放熱器及び前記加湿部材は、前記１つの空気流路内に配置されており、
前記蒸発器及び前記放熱器は、前記１つの空気流路における空気流れ方向に対して並列に配置されている、
除加湿装置（１００，１００Ａ，１００Ｂ）。
【請求項２】
前記１つの空気流路には、前記蒸発器を通過する第１空気流（ＡＦ１）と前記放熱器を通過する第２空気流（ＡＦ２）とが流れ、
前記加湿部材（７１）は、前記蒸発器に対して前記第１空気流の下流側、且つ、前記放熱器に対して前記第２空気流の下流側、に配置されている、
請求項１に記載の除加湿装置（１００，１００Ａ）。
【請求項３】
前記１台のファン（５０）は、前記加湿部材に対して前記第１空気流及び前記第２空気流の下流側に配置されている、
請求項２に記載の除加湿装置（１００，１００Ａ）。
【請求項４】
前記加湿部材（７１）は、前記１つの空気流路内において、前記１台のファンと隣接して配置されている、
請求項１から３のいずれか１項に記載の除加湿装置（１００，１００Ａ）。
【請求項５】
前記蒸発器及び前記放熱器は、互いに隙間を介して隣接して配置されており、
前記１つの空気流路には、前記蒸発器及び前記放熱器を通過せずに、前記隙間及び前記加湿部材を通過する第３空気流（ＡＦ３）、が更に流れる、
請求項１から４のいずれか１項に記載の除加湿装置（１００，１００Ａ，１００Ｂ）。
【請求項６】
前記蒸発器、前記放熱器及び前記加湿部材に対して、前記空気流れ方向の上流側に位置しており、前記１つの空気流路上の空気から塵埃を除去するフィルタユニット（３５）、
を更に備える、
請求項１から５のいずれか１項に記載の除加湿装置（１００，１００Ｂ）。
【発明の詳細な説明】
【技術分野】
【０００１】
本発明は、除加湿装置に関する。
【背景技術】
【０００２】
対象空間内の空気を整える装置としては、例えば特許文献１（実開昭６１−７９１２９号公報）に示される装置がある。特許文献１には、加湿機能と除湿機能とが一体となって実現されている除加湿装置が開示されている。除加湿装置は、加湿部材、蒸発器及び凝縮器を備えており、対象空間内の湿度の増減を調整する。
【発明の概要】
【発明が解決しようとする課題】
【０００３】
しかしながら、特許文献１に係る除加湿装置では、加湿部材、蒸発器及び凝縮器の３つが、空気流の流れ方向に沿って並んで配置されている。そのため、当該空気流の流れ方向に沿って、当該装置自身の厚みが増してしまう。
【０００４】
そこで、本発明は、加湿機能及び除湿機能を含む除加湿装置において、当該装置の厚みを抑えることを目的とする。
【課題を解決するための手段】
【０００５】
本発明の第１観点に係る除加湿装置は、ケーシングと、１台のファンと、冷凍サイクル装置と、加湿部材とを備える。ケーシングは、空気の吸込口及び吹出口を有する。１台のファンは、１つの空気流路をケーシング内に生成する。１つの空気流路は、吸込口からケーシング内に流入して吹出口からケーシング外に流出する空気の流路である。冷凍サイクル装置は、蒸発器及び放熱器を含む。蒸発器は、除湿運転時、ケーシング内に流入した１つの空気流路上の空気を露点以下に冷却して除湿する。加湿部材は、加湿運転時、水を一時的に保持すると共に、１つの空気流路上の空気に該水を付与する。蒸発器、放熱器及び加湿部材は、１つの空気流路内に配置されている。蒸発器及び放熱器は、１つの空気流路における空気流れ方向に対して並列に配置されている。
【０００６】
この除加湿装置では、蒸発器、放熱器及び加湿部材の３つが、１台のファンによって生成される１つの空気流路内に配置されており、更に蒸発器及び放熱器は、空気流れ方向に対して並列に配置されている。これにより、蒸発器及び放熱器が空気の流れ方向に沿って直列、つまりは空気流れ方向に沿って並んで配置される場合に比して、空気流れ方向における除加湿装置の厚みを薄くしつつも、除湿機能及び加湿機能を１つの装置にて実現することができる。
【０００７】
本発明の第２観点に係る除加湿装置は、第１観点に係る除加湿装置において、１つの空気流路には、蒸発器を通過する第１空気流と放熱器を通過する第２空気流とが流れる。加湿部材は、蒸発器に対して第１空気流の下流側、且つ、放熱器に対して第２空気流の下流側に配置されている。
【０００８】
これにより、蒸発器を通過した空気及び放熱器を通過した空気のいずれもが、加湿部材を通過することとなる。従って、加湿部材を通過する空気の量をかせぐことができる。
【０００９】
また、放熱器を通過した空気が加湿部材を通過するため、放熱器にて暖められた空気が加湿部材を通過することとなる。加湿部材付近においては、加湿部材が保持する水が当該部材の周囲に飛散する虞がある。しかしながら、放熱器を通過した空気によって加湿部材が暖められるため、加湿部材付近における水の飛散を抑えることができ、更には加湿部材の加湿能力を向上させることもできる。
【００１０】
更に、蒸発器では、ケーシング内に流入した空気と蒸発器内を通過する熱媒体との間で熱交換が行われ、空気は、熱媒体に吸熱されて露点以下に冷やされる。その際、蒸発器の表面には、結露水が生じる。しかし、この除加湿装置では、蒸発器の下流側に加湿部材が位置している。これにより、結露水がたとえ飛散したとしても、当該結露水は、蒸発器の下流側に位置する加湿部材によって捕らえられる。
【００１１】
本発明の第３観点に係る除加湿装置は、第２観点に係る除加湿装置において、１台のファンは、加湿部材に対して第１空気流及び第２空気流の下流側に配置されている。
【００１２】
ここでは、蒸発器及び放熱器、加湿部材、ファンが、この順番にて、空気流路内に空気流れ方向に沿って配置されている。即ち、加湿部材が、蒸発器及び放熱器よりもファンの近くに位置するため、加湿部材を通過する空気の量をより確実に稼ぐことができる。従って、仮に加湿部材の大きさサイズが小さくとも、加湿性能を稼ぎ易くなる。
【００１３】
また、上記第２観点にて説明したように、加湿部材付近における水の飛散は放熱器が機能することで防止され、蒸発器において生じ飛散した結露水は、加湿部材によって捕らえられる。そのため、加湿部材の下流側に位置するファンに、結露水を含む水がかかってしまう可能性は低くなる。
【００１４】
本発明の第４観点に係る除加湿装置は、第１観点から第３観点のいずれかに係る除加湿装置において、加湿部材は、１つの空気流路内において、１台のファンと隣接して配置されている。
【００１５】
これにより、加湿部材を通過する空気の量をより確実に稼ぐことができる。従って、仮に加湿部材のサイズが小さくとも、加湿性能を稼ぎ易くなる。
【００１６】
本発明の第５観点に係る除加湿装置は、第１観点から第４観点のいずれかに係る除加湿装置において、蒸発器及び放熱器は、互いに隙間を介して隣接して配置されている。１つの空気流路には、第３空気流が更に流れる。第３空気流は、蒸発器及び放熱器を通過せずに、隙間及び加湿部材を通過する空気流である。
【００１７】
蒸発器と放熱器とが空気流れ方向に対して並列に配置されているため、蒸発器と放熱器との間で熱交換が生じる虞がある。これを避けるために、蒸発器と放熱器との間には断熱材を挿入する場合がある。しかし、この場合、断熱材によって空気の流れが阻害され、加湿部材側は、所望の空気量を確保することが困難となってしまう。これに対し、この除加湿装置では、蒸発器と放熱器との間には隙間が形成されており、蒸発器と放熱器との間がある程度開けられている。それ故、第３空気流が生成され、所望の空気量を確保することが可能となる。
【００１８】
本発明の第６観点に係る除加湿装置は、第１観点から第５観点のいずれかに係る除加湿装置において、フィルタユニットを更に備える。フィルタユニットは、蒸発器、放熱器及び加湿部材に対して、空気流れ方向の上流側に位置している。フィルタユニットは、１つの空気流路上の空気から塵埃を除去する。
【００１９】
これにより、蒸発器及び放熱器、加湿部材には、フィルタユニットにて塵埃が除去された後の空気が供給されることとなる。従って、蒸発器及び放熱器、加湿部材の表面が塵埃にて汚れるのを防ぐことができる。
【発明の効果】
【００２０】
本発明の第１観点に係る除加湿装置によると、空気流れ方向における除加湿装置の厚みを薄くしつつも、除湿機能及び加湿機能を１つの装置にて実現することができる。
【００２１】
本発明の第２観点に係る除加湿装置によると、加湿部材を通過する空気の量をかせぐことができる。また、加湿部材付近における水の飛散を抑えることができ、加湿部材の加湿能力を向上させることもできる。更に、蒸発器の表面に生じた結露水がたとえ飛散したとしても、当該結露水は、蒸発器の下流側に位置する加湿部材によって捕らえられる。
【００２２】
本発明の第３観点に係る除加湿装置によると、加湿部材を通過する空気の量をより確実に稼ぐことができる。従って、仮に加湿部材のサイズが小さくとも、加湿性能を稼ぎ易くなる。また、加湿部材の下流側に位置するファンに、結露水を含む水がかかってしまう可能性は低くなる。
【００２３】
本発明の第４観点に係る除加湿装置によると、加湿部材を通過する空気の量をより確実に稼ぐことができる。従って、仮に加湿部材のサイズが小さくとも、加湿性能を稼ぎ易くなる。
【００２４】
本発明の第５観点に係る除加湿装置によると、所望の空気量を確保することが可能となる。
【００２５】
本発明の第６観点に係る除加湿装置によると、蒸発器及び放熱器、加湿部材の表面が塵埃にて汚れるのを防ぐことができる。
【図面の簡単な説明】
【００２６】
【図１】本実施形態に係る除加湿装置１００の外観図である。
【図２】本実施形態に係る除加湿装置１００の分解斜視図である。
【図３】ケーシング１０内に流入した空気が通過する各種構成部材の順番、ならびに当該空気に対する塵埃の除去等の概念を説明するための概念図である。
【図４】冷媒サイクルユニット６０の配管系統図である。
【図５】図１に係る除加湿装置１００をＶ−Ｖ面で切断した場合の側面断面図である。
【図６】図５において、ケーシング１０内の空気の流れを示す図である。
【図７】変形例Ａに係る除加湿装置１００Ａの側面断面図であって、且つケーシング１０内の空気の流れを示す図である。
【図８】変形例Ｂに係る除加湿装置１００Ｂの側面断面図であって、且つケーシング１０内の空気の流れを示す図である。
【発明を実施するための形態】
【００２７】
以下、本発明に係る除加湿装置について、図面を参照しつつ詳述する。なお、以下の実施形態は、本発明の具体例であって、本発明の技術的範囲を限定するものではない。
【００２８】
以下の説明では、上、下、左、右、正面（前面）、背面（後）といった各方向を表す語句を適宜用いている。これらの各方向は、特にことわりのない限り、図１に示す方向を意味する。
【００２９】
（１）概略
図１は、本発明の一実施形態に係る除加湿装置１００の外観図である。除加湿装置１００は、図１に示す状態にて対象空間の床に設置されるタイプの装置である。除加湿装置１００は、当該装置１００の下方や側方より対象空間内の空気を取り込み、当該空気を除加湿装置１００内部にて整えると、整えた後の空気を上方から対象空間へと供給する。
【００３０】
本実施形態に係る除加湿装置１００は、対象空間内の空気を除湿する除湿機能、対象空間の空気を加湿する加湿機能、更には対象空間の空気を浄化する空気清浄機能等を含む複数の機能を有している。つまり、除加湿装置１００は、対象空間内の空気を、湿度の側面のみならず浄化の側面からも整える装置であると言える。
【００３１】
更に、除加湿装置１００は、これらの機能を個別に選択または複数組み合わせて運転することが可能となっている。例えば、除加湿装置１００は、除湿機能及び空気清浄機能が選択された場合、先ずは対象空間内の空気を取り込んで塵埃などを除去し、次いで当該空気を除湿し、更にその後当該空気を再び対象空間に排出する運転を行う。また、除加湿装置１００は、例えば加湿機能及び空気清浄機能が選択された場合、先ずは対象空間内の空気を取り込んで塵埃などを除去し、次いで当該空気を加湿し、更にその後当該空気を再び対象空間に排出する運転を行う。
【００３２】
（２）構成
以下、除加湿装置１００の構成を、図１〜図３を参照して詳述する。図２は、除加湿装置１００の分解斜視図である。なお、図２では、図面を少しでも簡単にするため、後述する側壁パネル１２は省略している。図３は、ケーシング１０内に流入した空気が通過する各種構成部材の順番、ならびに当該空気に対する塵埃の除去等の概念を説明するための概念図である。
【００３３】
図１に示すように、除加湿装置１００は、主として、ケーシング１０、操作パネル２０及び本体部３０を備える。
【００３４】
（２−１）ケーシング
ケーシング１０は、除加湿装置１００の外郭を形成するものであって、箱状の形状を有している。ケーシング１０は、複数のケーシング部材の組み合わせによって構成されている。複数のケーシング部材としては、前パネル１１、側壁パネル１２、後パネル１３、底フレーム１４及び水平羽根１５が挙げられ、これらはいずれも合成樹脂によって形成されている。
【００３５】
前パネル１１は、鉛直方向に延びる板であって、除加湿装置１００の正面を構成するケーシング部材である。前パネル１１の下方には、下方吸込口１１ａが形成されているが、当該吸込口１１ａ付近を除き、前パネル１１本体部３０の正面側を概ね覆っている。下方吸込口１１ａは、前パネル１１の下方にて、横方向つまりは左右方向に細長く伸びている。下方吸込口１１ａからは、対象空間内の空気がケーシング１０内部に吸い込まれる。
【００３６】
側壁パネル１２は、鉛直方向に延びる板部材であって、除加湿装置１００の左側面（より具体的には、除加湿装置１００から見た場合における、除加湿装置１００の左側となる側面）を構成するケーシング部材である。側壁パネル１２の一部には、左側吸込口１２ａが形成されているが、当該吸込口１２ａ付近を除き、側壁パネル１２本体部３０の左側を概ね覆っている。左側吸込口１２ａは、壁側パネル１２のうち、前パネル１１に近い部分において縦方向つまりは鉛直方向に細長く延びている。左側吸込口１２ａからは、対象空間内の空気が、除加湿装置１００の左側方からケーシング１０内へと吸い込まれる。
【００３７】
後パネル１３は、平面視にてＬ字形状を保った状態で鉛直方向に延びる板部材である。後パネル１３は、除加湿装置１００の右側面及び背面（より具体的には、除加湿装置１００から見た場合における、除加湿装置１００の右側となる側面及び後面）を構成するケーシング部材である。詳細に図示してはいないが、後パネル１３の一部には、前パネル１１を挟んで左側吸込口１２ａと対峙する位置に、右側吸込口１３ａが形成されている。つまり、右側吸込口１３ａは、後パネル１３のうち、除加湿装置１００の右側面となる部分且つ前パネル１１に近い部分において、縦方向つまりは鉛直方向に細長く延びている。後パネル１３は、右側吸込口１３ａ付近を除き、本体部３０の右側及び後側を概ね覆っている。右側吸込口１３ａからは、対象空間内の空気が、除加湿装置１００の右側方からケーシング１０内へと吸い込まれる。
【００３８】
底フレーム１４は、ケーシング１０の底部であって、平面視において左右方向に細長い矩形の形状を有している。底フレーム１４の各辺は、前パネル１１、側壁パネル１２及び後パネル１３それぞれの下端と接する。
【００３９】
吹出口羽根１５は、本体部３０の上方のうち背面側に設けられている板状の部材である。吹出口羽根１５は、ケーシング１０の上面の一部分を構成している。具体的には、吹出口羽根１５は、側壁パネル１２の上端のうち背面側となる部分、後パネル１３の上端のうち右側面側となる部分の一部、及び背面側となる部分と接しており、ケーシング１０の背面側に位置する上面の部分を構成している。従って、吹出口羽根１５は、前パネル１１の上端とは接していない。吹出口羽根１５は、図示しない駆動部によって、後パネル１３に対して回動可能に取り付けられている。除加湿装置１００が運転を停止している際には、吹出口羽根１５は開姿勢を採り、当該羽根１５は、本体部３０の上方において、吹出口１５ａを介して本体部３０の一部分を露出させる。逆に、除加湿装置１００が運転している際には、吹出口羽根１５は閉姿勢を採る。この場合、吹出口１５ａは閉じられ、本体部３０の上部が吹出口羽根１５によって覆われる。
【００４０】
吹出口羽根１５によって覆われていない吹出口１５ａからは、除加湿装置１００にて整えられた空気がケーシング１０内から対象空間へと供給される。即ち、吹出口１５ａは、ケーシング１０の上面の一部に形成されている。なお、吹出口１５ａから吹出される空気の向きは、吹出口羽根１５が採り得る角度に応じて変更される。
【００４１】
（２−２）操作パネル
操作パネル２０は、本体部３０の上方のうち前パネル１１側に位置しており、本体部３０の上部のうち吹出口羽根１５によって覆われることがない部分を覆っている。即ち、操作パネル２０は、吹出口羽根１５と共に、ケーシング１０の上面を構成する部材であると言える。
【００４２】
操作パネル２０には、除加湿装置１００の運転をオン及びオフさせるためのボタン、除加湿装置１００の機能（具体的には、除湿機能、加湿機能及び空気清浄機能のうち少なくとも１つ）を選択するボタン、現在機能している運転の種類を表すＬＥＤ等が含まれている。
【００４３】
このような操作パネル２０は、図２に示すように、プリント基板２１、操作パネルカバー２２及び操作表示蓋２３が順に上へと重ねられることによって構成されている。プリント基板２１には、操作パネル２０上の各種ボタンやＬＥＤを実現するための電気部品が実装されている。操作パネルカバー２２は、操作パネルの外観を形作っている。操作表示蓋２３は、操作パネルカバー２２を保護する。
【００４４】
（２−３）本体部
本実施形態に言う本体部３０とは、除加湿装置１００が除湿機能等を実現するために必要な各種構成部材であって、且つケーシング１０内部に収納されている各種構成部材の集合体を意味している。
【００４５】
具体的に、図２に示すように、本体部３０には、放電ユニット３１、フィルタユニット３５、各種フレーム部材４１，４２，４３、ストリーマ放電ユニット４５、シロッコファン５０（ファンに相当）、冷凍サイクルユニット６０（冷凍サイクル装置に相当）、加湿ユニット７０、除湿タンクユニット８０が含まれる。
【００４６】
（２−３−１）放電ユニット
放電ユニット３１は、主として、左側放電ユニット３１ａ及び右側放電ユニット３１ｂを含む。これらのユニット３１ａ，３１ｂは、いずれも、鉛直方向に延びる縦長の筒状の形状を有している。左側放電ユニット３１ａは、左側吸込口１２ａの近傍に配設され、右側放電ユニット３１ｂは、右側吸込口１３ａ近傍に配設される。従って、左側吸込口１２ａからケーシング１０内部へと取り込まれた空気は、左側放電ユニット３１ａを通過し、右側吸込口１３ａからケーシング１０内部へと取り込まれた空気は、右側放電ユニット３１ｂを通過する。
【００４７】
左側放電ユニット３１ａ及び右側放電ユニット３１ｂそれぞれは、正極であるタングステン製のイオン化線と、負極であるステンレス金属製の板状の電極とを有する。正極であるイオン化線に比較的高い電圧が印加されると、正極と負極との間には電位差が生じ、コロナ放電が生じる。この放電により、各ユニット３１ａ，３１ｂを通過する空気中の塵埃が帯電される。
【００４８】
（２−３−２）フィルタユニット
フィルタユニット３５は、各吸込口１１ａ，１２ａ，１３ａからケーシング１０内へと取り込まれた空気を浄化するためのものであって、ケーシング１０のうち各吸込口１１ａ，１２ａ，１３ａ付近に配設されている。特に、フィルタユニット３５は、空気が通過する他の構成部材に比して、空気流ＡＦの流れ方向の最も上流側に位置している。フィルタユニット３５は、プレフィルタ３６、集塵フィルタ３７及び脱臭フィルタ３８が、空気流ＡＦの流れ方向の上流側から下流側に向かって順に１枚ずつ重ねられることで構成されている。
【００４９】
プレフィルタ３６は、フィルタユニット３５を構成する各種フィルタ３６〜３８の中で、空気が最初に通過するフィルタである。先ず、ケーシング１０内に取り込まれた空気は、プレフィルタ３６にて大きな塵埃が除去される。
【００５０】
集塵フィルタ３７は、プレフィルタ３６よりも集塵性能が高いフィルタである。集塵フィルタ３７には、大きな塵埃が除去された後の空気が通過するが、特に当該フィルタ３７では、放電ユニット３１を通過して帯電した更に微細な塵埃等が除去される。即ち、集塵フィルタ３７は、塵埃が帯電している極とは反対の極に帯電されることで、プレフィルタ３６を通過した空気中の微細な塵埃を吸着させるようになっている。
【００５１】
脱臭フィルタ３８は、例えば活性炭によって構成されており、微細な塵埃が除去された後の空気が通過する。脱臭フィルタ３８は、当該空気中に含まれるホルムアルデヒド及び臭い成分等を分解または吸着する。
【００５２】
（２−３−３）各種フレーム部材
各種フレーム部材４１，４２，４３は、本体部３０の他の構成要素を支持するためのものであって、いずれも合成樹脂によって構成されている。各種フレーム部材４１，４２，４３としては、前フレーム４１、中央フレーム４２及び後フレーム４３が挙げられる。
【００５３】
前フレーム４１は、フィルタユニット３５を前パネル１１側である正面側にて支持し、ストリーマ放電ユニット４５を上部にて支持している。前フレーム４１には、図３に示すように、２つの鉛直風通路部材４１ａ，４１ｂが配設されている。鉛直風通路部材４１ａ，４１ｂは、中空状の部材であって、互いに離れており、且つ鉛直方向に沿って細長く延びている。一方の鉛直風通路部材４１ａは、左側吸込口１２ａに近い側にて、左側吸込口１２ａに沿うようにして位置している。他方の鉛直風通路部材４１ｂは、右側吸込口１３ａに近い側にて、当該右側吸込口１３ａに沿うようにして位置している。これらの鉛直風通路部材４１ａ，４１ｂ内部には空気が流れている。そして、各鉛直風通路部材４１ａ，４１ｂには、複数の放出口４１ｃ，４１ｄが鉛直方向に並んで形成されており、当該放出口４１ｃ，４１ｄからは、鉛直風通路部材４１ａ，４１ｂ内部を通る空気が放出される。
【００５４】
図２に示すように、中央フレーム４２は、前フレーム４１の後方側に設けられている。中央フレーム４２は、その正面側である前フレーム４１側にて、冷凍サイクルユニット６０を支持している。即ち、冷凍サイクルユニット６０は、中央フレーム４２と前フレーム４１との間に配置されている。また、中央フレーム４２は、その背面側である後パネル１３側にて、加湿ユニット７０を支持している。更に、中央フレーム４２は、その背面側かつ下方側において、除湿運転時に凝縮した水を貯める除湿タンクユニット８０を支持している。
【００５５】
後フレーム４３は、中央フレーム４２の後方側に設けられている。従って、加湿ユニット７０及び除湿タンクユニット８０は、中央フレーム４２と後フレーム４３との間に配置されていると言える。後フレーム４３は、その上部にて、電装品箱８５を支持している。電装品箱８５内には、除加湿装置１００の各種構成部材を制御する制御基板等が収容されている。後フレーム４３は、その背面側にて、シロッコファン５０を支持しており、後フレーム４３の中央部には、ベルマウス形状のベルマウス４３ａが設けられている。ベルマウス４３ａによって、各吸込口１１ａ，１２ａ，１３ａを介してケーシング１０内に流入した空気は、シロッコファン５０へと流れ込む。
【００５６】
（２−３−４）ストリーマ放電ユニット
ストリーマ放電ユニット４５は、放電ストリーマ本体４５ａ及び放電ストリーマガイド４５ｂを含む。
【００５７】
放電ストリーマ本体４５ａは、正極の電極及び負極の電極を有する。正極の電極は、タングステン製の針状の電極である。負極の電極は、正極の電極付近に位置し、正極の電極に対向する板状の電極である。針状の電極に高電圧が印加されることによって、プラズマ放電の一種であるストリーマ放電が発生し、酸化分解力の高い活性種が生成される。
【００５８】
放電ストリーマガイド４５ｂは、放電ストリーマ本体４５ａで生成された活性種を、図３に示すように、空気と共に前フレーム４１における鉛直風通路部材４１ａ，４１ｂへと導く。
【００５９】
鉛直風通路部材４１ａ，４１ｂに流入した活性種を含む空気は、放出口４１ｃ，４１ｄから前フレーム４１外部へと放出され、フィルタユニット３５の集塵フィルタ３７及び脱臭フィルタ３８を順に通過する。この際、空気に含まれる活性種は、集塵フィルタ３７に吸着された塵埃や細菌などを分解して浄化する。
【００６０】
（２−３−５）シロッコファン
シロッコファン５０は、各吸込口１１ａ，１２ａ，１３ａからケーシング１０内に流入して吹出口１５ａからケーシング１０外に流出する１つの空気流路ＡＤを（図６の点線参照）、ケーシング１０内部に生成するためのものであって、ケーシング１０内部に１台のみ設けられている。図２，３に示すように、シロッコファン５０は、主として、ファンロータ５１、スクロールケーシング５３及びファンモータ５５を含む。
【００６１】
ファンロータ５１は、その後側に配設されたファンモータ５５の出力軸と接続されている。ファンモータ５５が駆動すると、出力軸を介してファンモータ５５の駆動がファンロータ５１に伝達され、ファンロータ５１は駆動して回転する。駆動中のファンロータ５１は、空気を、出力軸の先端側（即ち、正面側）から吸い込んで径方向へと吹出す。
【００６２】
スクロールケーシング５３は、ファンロータ５１が収容されるスクロール湾曲部を有する合成樹脂製のケーシング部材である。スクロールケーシング５３は、後フレーム４３の背面部分に固定されている。
【００６３】
ファンモータ５５は、その回転速度を段階的に切換えられる。ファンモータ５５の回転速度は、最大風量モード時において最高出力に切換えられ、逆に最小風量モード時において最低出力に切換えられる。
【００６４】
スクロールケーシング５３の正面側には、正面方向から見た大きさがファンロータ５１の大きさと略同の開口が形成されており、当該開口がシロッコファン５０の吸入口５０ａとして機能する。また、スクロールケーシング５３の上部には、開口が形成されており、当該開口がシロッコファン５０の排出口５０ｂとして機能する。排出口５０ｂは、吹出口１５ａに繋がっており、ケーシング１０の吹出口１５ａが露出すると排出口５０ｂも露出するようになっている。
【００６５】
また、スクロールケーシング５３の内部には、空気が流れるスクロール流路および排出流路が形成される。スクロール流路は、スクロール湾曲部においてファンロータ５１の外周面の外側に形成され、舌部から離れるのに伴い流路面積が大きくなるように形成されている。排出流路は、スクロール流路と連通して排出口５０ｂまで延びている。排出流路へと導かれた空気は、排出口５０ｂから排出される。
【００６６】
（２−３−６）冷凍サイクルユニット
次に、冷凍サイクルユニット６０について、図２〜図５を用いて説明する。図４は、冷媒サイクルユニット６０の配管系統図である。図５は、図１に係る除加湿装置１００をＶ−Ｖ面で切断した場合の側面断面図である。
【００６７】
冷凍サイクルユニット６０は、主として、圧縮機６１、凝縮器６２（放熱器に相当）及び蒸発器６４を含む。圧縮機６１、凝縮器６２及び蒸発器６４が冷媒配管によって接続されることで、図４に示す冷媒回路６０ａが構成されている。このような冷凍サイクルユニット６０は、主に、除加湿装置１００が除湿運転を行う際に機能する。
【００６８】
なお、冷媒回路６０ａ内には冷媒が循環している。冷媒の種類としては、Ｒ１３４ａ、ＣＯ２等が挙げられる。
【００６９】
−圧縮機−
圧縮機６１は、低圧のガス冷媒を吸入すると、この冷媒を圧縮して高圧のガス冷媒とした後に吐出する機構である。ここでは、圧縮機６１として、ケーシング（図示せず）内に収容されたロータリ式やスクロール式等の容積式の圧縮要素（図示せず）が、同じくケーシング内に収容された圧縮機用モータ（図示せず）を駆動源として駆動される密閉式圧縮機が採用されている。これにより、圧縮機６１の容量制御が可能となっている。即ち、圧縮機６１は、容量可変自在なタイプの圧縮機である。
【００７０】
−凝縮器−
図４に示すように、凝縮器６２は、その一端がキャピラリチューブ６３に接続されており、他端が圧縮機６１の吐出口に接続されている。凝縮器６２は、複数のフィンと、このフィンに挿入された複数の伝熱管とで構成されており、図３に示すように、フィルタユニット３５を通過した後の空気が通過する。凝縮器６２は、この空気と伝熱管内を流れる冷媒との間で熱交換を行う。具体的に、凝縮器６２は、圧縮機６１から吐出された高圧のガス冷媒を凝縮して液化させる。これにより、凝縮器６２を通過した空気は、冷媒から熱を与えられ、暖められる。
【００７１】
なお、凝縮器６２を通過した冷媒は、キャピラリチューブ６３にて減圧される。
【００７２】
−蒸発器−
図４に示すように、蒸発器６４は、その一端がアキュムレータ６５を介して圧縮機６１の吸入口に接続され、他端がキャピラリチューブ６３に接続されている。蒸発器６４は、上述した凝縮器６２と同様、複数のフィンと、このフィンに挿入された複数の伝熱管とで構成されており、図３に示すように、フィルタユニット３５を通過した後の空気が通過する。蒸発器６４は、この空気と伝熱管内を流れる冷媒との間で熱交換を行う。具体的に、蒸発器６４は、キャピラリチューブ６３にて減圧された後の液冷媒を蒸発させる。これにより、蒸発器６４を通過した空気は冷媒に吸熱されるため、空気自身は冷やされ、当該空気中に含まれる水分は凝縮する。即ち、蒸発器６４は、除加湿装置１００が除湿運転を行う際に、空気を露点温度以下に冷却して除湿する。
【００７３】
蒸発器６４を空気が通過する際、空気中に含まれる水分の少なくとも一部が凝縮して水となる。この水は、ドレン水として、除湿タンクユニット８０に導かれる。
【００７４】
また、蒸発器６４を通過した冷媒からは、アキュムレータ６５にて液冷媒が除去される。ガス冷媒のみとなった冷媒は、再度圧縮機６１に吸入され、圧縮機６１にて圧縮されて吐出される。
【００７５】
なお、本実施形態に係る冷凍サイクルユニット６０では、図２，図３及び図５に示すように、凝縮器６２及び蒸発器６４の配置の仕方に特徴があるが、これについては「（３）凝縮器、蒸発器及び加湿ロータの配置、ならびに空気の流れについて」で詳述する。
【００７６】
（２−３−７）加湿ユニット
加湿ユニット７０は、主に、除加湿装置１００が加湿運転を行う際に機能する。図２及び図３に示すように、加湿ユニット７０は、加湿ロータ７１（加湿部材に相当）、貯留部７２及び水タンク７３を含む。
【００７７】
加湿ロータ７１は、加湿運転時、水を一時的に保持すると共に、当該水を空気流路ＡＤ上の空気に付与するためのものである。加湿ロータ７１は、例えばリング状フレームに気化フィルタが取り付けられた構造を有する。加湿運転時には、気化フィルタから水が気化することによって加湿が行われる。加湿ロータ７１は、図示しない加湿ロータ用モータを駆動源として回転する。加湿ロータ７１の回転に伴って、リング状フレームに取り付けられたひしゃく状の部品により水がくみあげられ、回転に伴い乾いた気化フィルタに供給される。加湿ロータ７１の更なる回転により、当該部分における水は気化して空気に含まれることとなる。
【００７８】
貯留部７２は、水タンク７３から水を供給され、当該水を貯留する。
【００７９】
水タンク７３は、貯留部７２に水を供給するためのタンクであり、側壁パネル１２の内面部分に固定されている。
【００８０】
なお、本実施形態では、加湿ロータ７１の配置の仕方にも特徴があるが、これについては「（３）凝縮器、蒸発器及び加湿ロータの配置、ならびに空気の流れについて」で詳述する。
【００８１】
（２−３−８）除湿タンクユニット
図２に示すように、除湿タンクユニット８０は、除湿タンク８１及び蓋部８３を含む。除湿タンク８１は、その上部が開放されており、蒸発器６４で発生したドレン水を貯留することができるようになっている。蓋部８３は、除湿タンク８１の上部を覆うように配置され、除湿タンク８１内に貯留されたドレン水が除湿タンクユニット８０の外部へと漏れないようにするためのものである。
【００８２】
なお、蓋部８３の概ね中央付近には、開口８３ａが設けられている。これにより、ドレン水は、蓋部８３上に一旦集められ、開口８３ａを介して除湿タンク８１内へと導入される。
【００８３】
（３）凝縮器、蒸発器及び加湿ロータの配置、ならびに空気の流れについて
ここで、本実施形態の一特徴である凝縮器６２、蒸発器６４及び加湿ロータ７１の配置と、当該配置に伴うケーシング１０内部の空気流とについて、主に図２，図３及び図６を参照して説明する。図６は、図５に係るケーシング１０の側面断面図において、ケーシング１０内の空気の流れを示す図である。なお、図面を簡単にするため、図６では、加湿ユニット７０については“加湿ロータ７１”のみを図示している。また、図６では、空気流路ＡＤ及び複数の空気流ＡＦ，ＡＦ１，ＡＦ２，ＡＦ３を分かり易く図示するため、図５に比して、除加湿装置１００内の構成を簡略化させている。
【００８４】
図６において点線で示すように、ケーシング１０内には、１つのシロッコファン５０によって上述した空気流路ＡＤが１つ形成されている。この空気流路ＡＤ内には、各種構成部材が配置されている。そして、空気流路ＡＤ内においては、先ずは吸込口１１ａ，１２ａ，１３ａからケーシング１０内に流入した空気が前パネル１１付近にて統合され、統合された空気は、ケーシング１０内を前パネル１１側から後パネル１３側へと各種構成部材を通過しながら移動し、やがてケーシング１０の上部における吹出口１５ａを介してケーシング１０外へと流出する空気流ＡＦが流れる。
【００８５】
詳細には、本実施形態に係るフィルタユニット３５、凝縮器６２、蒸発器６４、加湿ロータ７１及びシロッコファン５０は、１つの空気流路ＡＤ内に配置されている。これらの構成部材３５，６２，６４，７１，５０は、１つの空気流路ＡＤにおいて、空気流ＡＦの上流側から下流側に向かって、フィルタユニット３５、凝縮器６２及び蒸発器６４、加湿ロータ７１、シロッコファン５０の順に配置されている。具体的には、図２，図３，図６に示すように、フィルタユニット３５は、他の構成部材６２，６４，７１，５０よりも、空気流ＡＦの流れ方向の最も上流側に位置している。図２等に示すように、凝縮器６２及び蒸発器６４は、フィルタユニット３５の背面側、更には前フレーム４１の背面側に配設される。加湿ロータ７１は、凝縮器６２及び蒸発器６４の背面側、更には中央フレーム４２の背面側に位置している。従って、除湿運転時、空気と冷媒との熱交換によって周囲に放熱を行う凝縮器６２によって、加湿ロータ７１は暖められることとなる。図５及び図６等に示すように、シロッコファン５０は、加湿ロータ７１の背面側において、当該ロータ７１と隣接して配置されている。
【００８６】
上述した空気流ＡＦは、シロッコファン５０が駆動することで生成される。即ち、シロッコファン５０が駆動することによって、対象空間内の空気は、各吸込口１１ａ，１２ａ，１３ａからケーシング１０内に流入し、図３，６に示すように、先ずはフィルタユニット３５を通過することで、塵埃や臭い成分等が除去される。フィルタユニット３５を通過した空気は、次いで冷凍サイクルユニット６０にて除湿されるかまたは加湿ユニット７０で加湿された後、吹出口１５ａを介してケーシング１０外部へと吹き出され、再び対象空間内に戻される。図３に示すように、空気流ＡＦの一部は、除加湿装置１００外へと吹き出されずに、支流ＢＦとしてストリーマ放電ユニット４５を通過する。ストリーマ放電ユニット４５を通過した支流ＢＦは、鉛直風通路部材４１ａ，４１ｂに流入し、放出口４１ｃ，４１ｄを介してフィルタユニット３５を通過する空気流ＡＦに合流する。
【００８７】
また、本実施形態に係る凝縮器６２及び蒸発器６４は、図６に示すように、１つの空気流路ＡＤにおける空気流ＡＦの流れ方向に対して並列に配置されている。つまり、凝縮器６２及び蒸発器６４自体には、凝縮器６２及び蒸発器６４の各厚み方向（即ち、前後方向）に沿って空気が通過するが、当該通過する空気の方向に対して凝縮器６２及び蒸発器６４が並行となるように配置されている。より具体的には、凝縮器６２及び蒸発器６４の各長手方向は、鉛直方向と沿う方向であるが、当該長手方向に凝縮器６２及び蒸発器６４が並ぶようにして配置されている。つまり、凝縮器６２及び蒸発器６４は、ケーシング１０の上下方向に配置されており、前パネル１１に沿うようにして重ねて配置されていると言うことができる。これにより、凝縮器６２及び蒸発器６４を空気流れ方向に沿って直列配置する場合に比して、除加湿装置１００の厚み方向（つまりは、前後方向）の厚さが抑えられる。
【００８８】
なお、本実施形態では、凝縮器６２は上側に位置し、蒸発器６４は下側、即ち除湿タンクユニット８０付近に位置している。既に上述したが、除湿運転時、蒸発器６４は空気から吸熱するため、蒸発器６４付近にはドレン水が生じる。ドレン水は、その多くが、ドレン水自体の自重によって下方へと流れる。故に、本実施形態のように、蒸発器６４は、凝縮器６２よりも下方、更には除湿タンクユニット８０付近に配設されることが好ましい。
【００８９】
そして、凝縮器６２及び蒸発器６４は、互いに隙間６６を介して互いに隣接している。即ち、隙間６６が生じるように、凝縮器６２及び蒸発器６４それぞれは、互いに所定距離離れた状態にて前フレーム４１に支持されている。この隙間６６は、上下方向に並ぶ凝縮器６２及び蒸発器６４の間の直接的な熱交換を避けるために設けられている。なお、凝縮器６２及び蒸発器６４の間の直接的な熱交換を防止するために、凝縮器６２及び蒸発器６４の間に断熱材を入れることも考えられる。しかし、この場合、凝縮器６２及び蒸発器６４の隣接部分における空気の流れが断熱材によって遮断されてしまう虞があり、その分空気流ＡＦの流れ方向へと向かう空気量が少なくなることが懸念される。そこで、空気量を確保するためにも、隙間６６は、上下方向に所定の高さを有していることが好ましい。
【００９０】
なお、所定の高さは、除加湿装置１００が最低限必要とする風量や、シロッコファン５０の仕様等から、適宜決定されることが好ましい。但し、所定の高さが大きくなる程、凝縮器６２の上端の位置が高くなってしまい、結果的に除加湿装置１００自体の高さが高くなってしまう。そこで、所定の高さは、確保するべき空気量のみならず除加湿装置１００の高さも考慮して決定されることが、より好ましい。
【００９１】
このような構成を有する除加湿装置１００によると、図６に示すように、空気流ＡＦは、主に、第１空気流ＡＦ１、第２空気流ＡＦ２及び第３空気流ＡＦ３に大別される。第１空気流ＡＦ１は、蒸発器６４を通過する空気の流れであって、第２空気流ＡＦ２は、凝縮器６２を通過する空気の流れである。より具体的には、第１空気流ＡＦ１は、凝縮器６２は通過しないが、フィルタユニット３５、蒸発器６４、加湿ロータ７１及びシロッコファン５０をこの順序に通過する空気の流れである。第２空気流ＡＦ２は、蒸発器６４は通過しないが、フィルタユニット３５、凝縮器６２、加湿ロータ７１及びシロッコファン５０をこの順序で通過する空気の流れである。第３空気流ＡＦ３は、蒸発器６４及び凝縮器６２を通過せずに、フィルタユニット３５、隙間６６、加湿ロータ７１及びシロッコファン５０をこの順序で通過する空気の流れである。従って、加湿ロータ７１は、第１空気流ＡＦ１に着目すると、蒸発器６４に対して第１空気流ＡＦ１の下流側であり、更に第２空気流ＡＦ２に着目すると、凝縮器６２に対して第２空気流ＡＦ２の下流側に配置されていると言うことができる。更に、加湿ロータ７１は、第３空気流ＡＦ３に着目すると、隙間６６に対して第３空気流ＡＦ３の下流側に位置すると言うことができる。そして、シロッコファン５０は、加湿ロータ７１に対して、第１空気流ＡＦ１、第２空気流ＡＦ２及び第３空気流ＡＦ３の下流側に位置している。
【００９２】
第１空気流ＡＦ１及び第２空気流ＡＦ２により、加湿ロータ７１には、蒸発器６４を通った空気（即ち、第１空気流ＡＦ１）及び凝縮器６２を通った空気（即ち、第２空気流ＡＦ２）のどちらもが通過することとなる。従って、加湿ロータ７１を通過する空気量は、十分に確保される。更に、加湿ロータ７１は、シロッコファン５０に隣接して配置されているため、サイズの比較的小さい加湿ロータ７１を用いても、加湿性能が極端に低下することがない。
【００９３】
また、第１空気流ＡＦ１に着目すると、以下の効果を奏することができる。蒸発器６４が機能している場合、上述したように、ドレン水が発生する。ドレン水の一部分が除湿タンクユニット８０に回収されずに結露水として蒸発器６４の表面に残ってしまった場合、当該結露水が蒸発器６４の周囲に飛散する場合がある。しかし、このような場合においても、第１空気流ＡＦ１における蒸発器６４の下流側には、加湿ロータ７１が位置している。故に、飛散した結露水は、加湿ロータ７１にて捕らえられる。すると、加湿ロータ７１よりも更に下流側にあるシロッコファン５０に、結露水がかかってしまう可能性が低くなる。
【００９４】
更に、第２空気流ＡＦ２に着目すると、以下の効果を奏することができる。加湿ロータ７１は、上述したように、一時的に水を保持する。故に、加湿ロータ７１が回転することによって、場合によっては加湿ロータ７１の保持する水の一部分が周囲に飛散する虞も考えられる。しかしながら、凝縮器６２が機能している場合、凝縮器４２では空気が暖められる。この空気は、第２空気流ＡＦ２によって加湿ロータ７１へと供給されるため、加湿ロータ７１は暖められる。従って、加湿ロータ７１付近における水の飛散も生じ難くなると共に、加湿ロータ７１の加湿能力自体も向上する。
【００９５】
更に、第３空気流ＡＦ３に着目すると、隙間６６を通った空気は、直接加湿ロータ７１に流れることとなる。従って、加湿ロータ７１を通過する空気量は、より十分に確保される。
【００９６】
なお、上記では、凝縮器６２及び蒸発器６４の各列数及びサイズについては特に触れていないが、凝縮器６２及び蒸発器６４は、同じ列数を備えた同じサイズのものであってもよいし、異なった列数及び大きさであってもよい。
【００９７】
（４）特徴
（４−１）
本実施形態に係る除加湿装置１００では、主に図６に示すように、蒸発器６４、凝縮器６２及び加湿ロータ７１の３つが、１台のシロッコファン５０によって生成される１つの空気流路ＡＤ内に配置されている。更に、本実施形態に係る除加湿装置１００では、蒸発器６４及び凝縮器６２が、１つの空気流路ＡＤ内の空気流ＡＦの流れ方向に対して並列に配置されている。
【００９８】
これにより、蒸発器６４及び凝縮器６２が空気流ＡＦの流れ方向に沿って直列、つまりは空気流ＡＦの流れ方向に沿って並んで配置される場合に比して、空気流ＡＦの流れ方向における除加湿装置１００の厚みを薄くしつつも、除湿機能及び加湿機能を１つの装置にて実現することができる。
【００９９】
（４−２）
本実施形態では、１つの空気流路ＡＤには、図６に示すように、蒸発器６４を通過する第１空気流ＡＦ１と、凝縮器６２を通過する第２空気流ＡＦ２とが流れる。加湿路ロータ７１は、蒸発器６４に対して第１空気流ＡＦ１の下流側、且つ、凝縮器６２に対して第２空気流ＡＦ２の下流側に配置されている。
【０１００】
これにより、蒸発器６４を通過した空気及び凝縮器６２を通過した空気のいずれもが、加湿ロータ７１を通過することとなる。従って、加湿ロータ７１を通過する空気の量をかせぐことができる。
【０１０１】
また、凝縮器６２を通過した空気が加湿ロータ７１を通過するため、凝縮器６２にて暖められた空気が加湿ロータ７１を通過することとなる。加湿ロータ７１付近においては、当該ロータ７１が保持する水が当該ロータ７１の周囲に飛散する虞がある。しかしながら、本実施形態では、凝縮器６２を通過した空気によって加湿ロータ７１が暖められるため、加湿ロータ７１付近における水の飛散を抑えることができ、更には加湿ロータ７１の加湿能力を向上させることもできる。
【０１０２】
更に、蒸発器６４では、ケーシング１０内に流入した空気と蒸発器６４内を通過する冷媒との間で熱交換が行われ、空気は、冷媒に吸熱されて露点以下に冷やされる。その際、蒸発器６４の表面には、ドレン水の一部が結露水として付着する。しかし、本実施形態に係る除加湿装置１００では、蒸発器６４の下流側に加湿ロータ７１が位置している。これにより、蒸発器６４の表面の結露水がたとえ飛散したとしても、当該結露水は、蒸発器６４の下流側に位置する加湿ロータ７１によって捕らえられる。
【０１０３】
（４−３）
更に、本実施形態では、１台のシロッコファン５０は、加湿ロータ７１に対して第１空気流ＡＦ１及び第２空気流ＡＦ２の下流側に配置されている。
【０１０４】
つまり、本実施形態では、蒸発器６４及び凝縮器６２、加湿ロータ７１、シロッコファン５０が、この順番にて、空気流路ＡＤ内に空気の流れ方向に沿って配置されている。即ち、加湿ロータ７１が、蒸発器６４及び凝縮器６２よりもシロッコファン５０の近くに位置するため、加湿ロータ７１を通過する空気の量をより確実に稼ぐことができる。従って、仮に加湿ロータ７１のサイズが小さくとも、加湿性能を稼ぎ易くなる。
【０１０５】
また、上記（４−２）にて述べたように、加湿ロータ７１付近における水の飛散は凝縮器６２が機能することで防止され、蒸発器６４のドレン水の一部である結露水は、加湿ロータ７１によって捕らえられる。そのため、加湿ロータ７１の下流側に位置するシロッコファン５１に、結露水を含む水がかかってしまう可能性は低くなる。
【０１０６】
（４−４）
本実施形態では、加湿ロータ７１は、１つの空気流路ＡＤ内において、１台のシロッコファン５０と隣接して配置されている。
【０１０７】
これにより、加湿ロータ７１を通過する空気の量をより確実に稼ぐことができる。従って、仮に加湿ロータ７１のサイズが小さくとも、加湿性能を稼ぎ易くなる。
【０１０８】
（４−５）
本実施形態では、蒸発器６４及び凝縮器６２は、互いに隙間６６を介して隣接して配置されている。１つの空気流路ＡＤには、第３空気流ＡＦ３が更に流れる。第３空気流ＡＦ３は、蒸発器６４及び凝縮器６２を通過せずに、隙間６６及び加湿ロータ７１を通過する空気流である。
【０１０９】
蒸発器６４と凝縮器６２とが空気流ＡＦの流れ方向に対して並列に配置されているため、蒸発器６４と凝縮器６２との間で熱交換が生じる虞がある。これを避けるために、蒸発器６４と凝縮器６２との間には断熱材を挿入する場合がある。しかし、この場合、断熱材によって空気の流れが阻害され、加湿ロータ７１側は、所望の空気量を確保することが困難となってしまう。これに対し、本実施形態に係る除加湿装置１００では、蒸発器６４と凝縮器６２との間には隙間６６が形成されており、蒸発器６４と凝縮器６２との間がある程度開けられている。それ故、第３空気流ＡＦ３が生成され、所望の空気量を確保することが可能となる。
【０１１０】
（４−６）
本実施形態では、蒸発器６４及び凝縮器６２、加湿ロータ７１に対して、空気流ＡＦの流れ方向の上流側にフィルタユニット３５が位置している。フィルタユニット３５は、空気流路ＡＤ上の空気から塵埃を除去する。
【０１１１】
これにより、蒸発器６４及び凝縮器６２、加湿ロータ７１には、フィルタユニット３５にて塵埃が除去された後の空気が供給されることとなる。従って、蒸発器６４及び凝縮器６２、加湿ロータ７１の表面が塵埃にて汚れるのを防ぐことができる。
【０１１２】
（５）変形例
（５−１）変形例Ａ
上記実施形態では、除湿機能、加湿機能及び空気清浄機能を有する除加湿装置１００について説明した。しかし、本発明に係る除加湿装置は、除湿機能及び加湿機能は必須であるが、空気清浄機能は必須ではない。
【０１１３】
この場合の除加湿装置１００Ａの断面図を、図７に示す。除加湿装置１００Ａでは、上記実施形態に係る除加湿装置１００において、フィルタユニット３５を備えていないが、他の構成要部材は上記実施形態に係る除加湿装置１００と同様である。つまり、除加湿装置１００Ａは、主として、ケーシング１０、冷凍サイクルユニット６０に含まれる凝縮器６２及び蒸発器６４、加湿ユニット７０に含まれる加湿ロータ７１、１台のシロッコファン５０、除加湿タンクユニット８０を備えている。
【０１１４】
ケーシング１０内には、１つの空気流路ＡＤが形成されており、空気流路ＡＤ内には、蒸発器６４及び凝縮器６２、加湿ロータ７１、シロッコファン５０が配置されている。蒸発器６４及び凝縮器６２、加湿ロータ７１、シロッコファン５０は、空気流ＡＦの流れ方向の上流側から下流側に向かってこの順序で配置している。特に、蒸発器６４及び凝縮器６２は、空気流ＡＦの流れ方向に対して並列に配置されている。
【０１１５】
具体的には、蒸発器６４及び凝縮器６２は、除加湿装置１００Ａの鉛直方向に並んで位置しており、蒸発器６４は下側に、凝縮器６２は上側に配置されている。加湿ロータ７１は、空気流ＡＦの流れ方向に対して蒸発器６４及び凝縮器６２の下流側に配置されている。また、蒸発器６４及び凝縮器６２は、隙間６６を介して互いに隣接して配置されている。
【０１１６】
加湿ユニット７０に含まれる加湿ロータ７１の直径は、蒸発器６４の長手方向（つまりは、鉛直方向）の長さとほぼ等しく、加湿ロータ７１は、その直径が、蒸発器６４の長手方向の長さとほぼ対応するようにして配置されている。つまり、加湿ロータ７１は、空気流ＡＦの流れ方向に対し蒸発器６４と並んでいる。
【０１１７】
凝縮器６２は、蒸発器６４及び加湿ロータ７１の上方において、蒸発器６４及び加湿ロータ７１に跨るようにして配置されている。凝縮器６２の長手方向（つまりは、鉛直方向）の長さは、蒸発器６４の長手方向（つまりは、鉛直方向）の長さよりも短いが、凝縮器６２の短手方向（厚み方向。つまりは、前後方向）の長さは、蒸発器６４の短手方向（厚み方向。つまりは、前後方向）の長さよりも長い。そして、凝縮器６２の伝熱管の列数は、蒸発器６４の列数よりも多い。これは、凝縮器６２の長手方向の長さが蒸発器６４よりも短い分、凝縮器６２の短手方向の長さを長くしつつ伝熱管の列数を増やすことで、凝縮器６２の凝縮能力を維持するためである。
【０１１８】
１台のシロッコファン５０は、上記実施形態と同様、空気流ＡＦの流れ方向に対して、加湿ユニット７０の下流側に位置している。シロッコファン５０は、加湿ロータ７１と隣接して配置されている。
【０１１９】
これにより、空気流路ＡＤ内の空気流ＡＦは、蒸発器６４及び加湿ロータ７１を通過する第１空気流ＡＦ１、凝縮器６２及び加湿ロータ７１を通過する第２空気流ＡＦ２、蒸発器６４及び凝縮器６２を通過することなく隙間６６及び加湿ロータ７１を通過する第３空気流ＡＦ３に大別される。１台のシロッコファン５０は、各空気流ＡＦ１〜ＡＦ３の下流側に位置していると言える。
【０１２０】
このような構成を有する除加湿装置１００Ａにおいても、空気清浄機能が備えられていないだけで、上記実施形態とほぼ同様の効果を奏することができる。
【０１２１】
つまり、除加湿装置１００Ａは、蒸発器６４及び凝縮器６２が鉛直方向に並んで配置されている。従って、空気流ＡＦの流れ方向における除加湿装置１００Ａの厚みを薄くしつつも、除湿機能及び加湿機能を１つの装置にて実現することができる。
【０１２２】
蒸発器６４を通過した空気、及び凝縮器６２を通過した空気のいずれもが、加湿ロータ７１を通過する。そのため、加湿ロータ７１を通過する空気の量をかせぐことができる。また、凝縮器６２を通過した空気が加湿ロータ７１を通過することにより、凝縮器６２を通過した空気によって加湿ロータ７１が暖められ、加湿ロータ７１付近における水の飛散を抑えることができ、更には加湿ロータ７１の加湿能力を向上させることもできる。更に、蒸発器６４の下流側に加湿ロータ７１が位置していることにより、蒸発器６４の表面のドレン水がたとえ飛散したとしても、当該ドレン水は、蒸発器６４の下流側に位置する加湿ロータ７１によって捕らえられる。
【０１２３】
また、加湿ロータ７１が、蒸発器６４及び凝縮器６２よりもシロッコファン５０の近くに、且つシロッコファン５０と隣接して位置しているため、加湿ロータ７１を通過する空気の量をより確実に稼ぐことができる。従って、仮に加湿ロータ７１のサイズが小さくとも、加湿性能を稼ぎ易くなる。また、シロッコファン５１に、蒸発器６４における結露水を含む水がかかってしまう可能性は低くなる。
【０１２４】
また、蒸発器６４と凝縮器６２との間には隙間６６が形成されており、蒸発器６４と凝縮器６２との間がある程度開けられている。それ故、第３空気流ＡＦ３が生成され、加湿ロータ７１を通過する空気量をある程度確保することが可能となる。
【０１２５】
（５−２）変形例Ｂ
上記実施形態及び上記変形例Ａでは、加湿ロータ７１が、凝縮器６２及び蒸発器６４に対して空気流ＡＦの下流側に位置している場合について説明した。しかし、加湿ロータ７１は、図８の除加湿装置１００Ｂに示されるように、凝縮器６２及び蒸発器６４の上流側に位置していても良い。
【０１２６】
除加湿装置１００Ｂの構成部材は、上記実施形態に係る除加湿装置１００と同様である。なお、図８では、一例として、空気清浄機能を実現するためのフィルタユニット３５が設けられている場合を表している。加湿ロータ７１は、フィルタユニット３５の下流側であって、且つ凝縮器６２及び蒸発器６４の上流側に位置している。
【０１２７】
この場合においても、空気流ＡＦは、第１空気流ＡＦ１，第２空気流ＡＦ２及び第３空気流ＡＦ３に大別される。第１空気流ＡＦ１は、フィルタユニット３５、加湿ロータ７１、蒸発器６４及びシロッコファン５０をこの順序に空気が通過する空気の流れである。第２空気流ＡＦ２は、フィルタユニット３５、加湿ロータ７１、凝縮器６２及びシロッコファン５０をこの順序にて空気が通過する空気の流れである。第３空気流ＡＦ３は、フィルタユニット３５、隙間６６及びシロッコファン５０をこの順序にて空気が通過する空気の流れである。
【０１２８】
このような構成を有する除加湿装置１００Ｂは、以下の効果を奏する。
【０１２９】
除加湿装置１００Ｂは、蒸発器６４及び凝縮器６２が鉛直方向に並んで配置されている。従って、空気流ＡＦの流れ方向における除加湿装置１００Ｂの厚みを薄くしつつも、除湿機能及び加湿機能を１つの装置にて実現することができる。
【０１３０】
また、蒸発器６４と凝縮器６２との間には隙間６６が形成されており、蒸発器６４と凝縮器６２との間がある程度開けられている。それ故、第３空気流ＡＦ３が生成され、所望の空気量を確保することが可能となる。
【０１３１】
更に、空気流路ＡＤ上の空気から塵埃を除去するためのフィルタユニット３５は、蒸発器６４及び凝縮器６２、加湿ロータ７１よりも、空気流ＡＦの流れ方向の最も上流側に位置している。これにより、蒸発器６４及び凝縮器６２、加湿ロータ７１には、フィルタユニット３５にて塵埃が除去された後の空気が供給されることとなる。従って、蒸発器６４及び凝縮器６２、加湿ロータ７１の表面が塵埃にて汚れるのを防ぐことができる。
【０１３２】
なお、図８では、フィルタユニット３５が備えられている場合について例示しているが、除加湿装置１００Ｂは、フィルタユニット３５を備えていなくともよい。この場合、空気流ＡＦの流れ方向の最も上流側に加湿ユニット７０が位置し、次いで鉛直方向に互いに並んだ蒸発器６４及び凝縮器６２が位置することとなる。シロッコファン５０は、空気流ＡＦの流れ方向の最も下流側に１つ位置することとなる。
【０１３３】
（５−３）変形例Ｃ
上記実施形態及び上記変形例Ａ，Ｂでは、蒸発器６４が凝縮器６２の下側に位置している場合について説明した。しかし、蒸発器６４は、凝縮器６２の上側に位置していてもよい。この場合、例えば、蒸発器６４にて生じるドレン水が凝縮器６２にかかることなく、当該ドレン水を除湿タンクユニット８０側へと導入するようなガイドが設けられると良い。
【０１３４】
（５−４）変形例Ｄ
上記実施形態及び上記変形例Ａ，Ｂでは、蒸発器６４及び凝縮器６２の間に隙間６６が形成されていると説明した。
【０１３５】
しかし、蒸発器６４及び凝縮器６２は、隙間６６が形成されることなく配設されていてもよい。この場合、隙間６６を介して加湿ロータ７１へと流れる第３空気流ＡＦ３が形成されることはない。
【０１３６】
（５−５）変形例Ｅ
上記実施形態及び上記変形例Ａ，Ｂでは、蒸発器６４及び凝縮器６２、加湿ロータ７１に比して、シロッコファン５０が空気流ＡＦの流れ方向の最も下流側に位置していると説明した。
【０１３７】
しかし、シロッコファン５０の位置は、空気流ＡＦを生成できるのであればどこに配置されていてもよく、空気流ＡＦの流れ方向の最も下流側に限定されない。例えば、シロッコファン５０は、蒸発器６４及び凝縮器６２、加湿ロータ７１に比して空気流ＡＦの最も上流側に位置していてもよい。
【０１３８】
（５−６）変形例Ｆ
上記実施形態及び上記変形例Ａでは、シロッコファン５０と加湿ロータ７１とは、互いに隣接して配置されていると説明した。しかし、シロッコファン５０及び加湿ロータ７１の隣接配置は、必ずしも必須ではない。シロッコファン５０と加湿ロータ７１との間には、他の部材が介在していてもよい。
【０１３９】
（５−７）変形例Ｇ
上記実施形態及び上記変形例Ａ，Ｂでは、除加湿装置１００，１００Ａ，１００Ｂが床置きタイプである場合について説明した。
【０１４０】
しかし、本発明に係る除加湿装置は、ケーシング内に形成された１つの空気流路内に、蒸発器、凝縮器（放熱器に相当）及び加湿部材が設置されており、且つ蒸発器及び凝縮器が空気流の流れ方向に対して並列となるように配設されていればよい。故に、除加湿装置のタイプは、床置きタイプに限定されない。除加湿装置が採り得る他のタイプとしては、例えば壁掛タイプや天井設置タイプ等が挙げられる。
【０１４１】
（５−８）変形例Ｈ
上記実施形態では、フィルタユニット３５が、プレフィルタ３６、集塵フィルタ３７及び脱臭フィルタ３８によって構成されていると説明した。しかし、フィルタユニット３５の構成は、これに限定されない。例えば、フィルタユニット３５は、プレフィルタ３６及び集塵フィルタ３７のみによって構成されていてもよいし、集塵フィルタ３７の代わりにＨＥＰＡフィルタなどが用いられても良い。
【０１４２】
（５−９）変形例Ｉ
上記実施形態では、ケーシング１０が、複数のケーシング部材（具体的には、前パネル１１、側壁パネル１２等）によって構成されていると説明した。しかし、これらの複数のケーシング部材が一体成形されることで、ケーシング１０が構成されていても良い。
【符号の説明】
【０１４３】
１０  ケーシング（ケーシング）
１１  前パネル
１１ａ  下方吸込口（吸込口）
１２  側壁パネル
１２ａ  左側吸込口（吸込口）
１３  後パネル
１３ａ  右側吸込口（吸込口）
１４  底フレーム
１５  吹出口羽根
１５ａ  吹出口（吹出口）
２０  操作パネル
３０  本体部
３１  放電ユニット
３１ａ  左側放電ユニット
３１ｂ  右側放電ユニット
３５  フィルタユニット（フィルタユニット）
３６  プレフィルタ
３７  集塵フィルタ
３８  脱臭フィルタ
４１  前フレーム
４２  中央フレーム
４３  後フレーム
４５  ストリーマ放電ユニット
５０  シロッコファン（ファン）
６０  冷凍サイクルユニット（冷凍サイクル装置）
６０ａ  冷媒回路
６１  圧縮機
６２  凝縮器（放熱器）
６３  キャピラリチューブ
６４  蒸発器（蒸発器）
６５  アキュムレータ
６６  隙間
７０  加湿ユニット
７１  加湿ロータ（加湿部材）
７２  貯留部
７３  水タンク
８０  除湿タンクユニット
８５  電装品箱
ＡＤ  空気流路（空気流路）
ＡＦ  空気流
ＡＦ１  第１空気流（第１空気流）
ＡＦ２  第２空気流（第２空気流）
ＡＦ３  第３空気流（第３空気流）
１００，１００Ａ，１００Ｂ  除加湿装置
【先行技術文献】
【特許文献】
【０１４４】
【特許文献１】特開昭６１−７９１２９号公報
【図１】
2014231924.tif 000003
【図２】
2014231924.tif 000004
【図３】
2014231924.tif 000005
【図４】
2014231924.tif 000006
【図５】
2014231924.tif 000007
【図６】
2014231924.tif 000008
【図７】
2014231924.tif 000009
【図８】
2014231924.tif 000010